【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
シリンジ用ガードであって、
シリンジは、基端と、該基端に備えられたリップと、末端と、該末端から延在する針とを有する、シリンジ用ガードにおいて、
開放基端と開放末端とを有する本体であって、シリンジを該開放基端を通して軸方向に収容する腔所を有する本体を備えており、
開放基端は、実質的にシリンジの基端を受け入れる凹部を囲む１つ以上の側方面を有する壁部を備え、
上記側方面は、シリンジを本体に実質的に永久的にロックするべく、腔所に受け入れられたシリンジのリップと実質的に永久的に係合するロック機構であって、該リップの一部を受け入れるための複数のスロットを備えたロック機構を備え、
さらに、開放基端と開放末端とを有し上記本体に摺動可能に取り付けられたシールドであって、シリンジの針が該開放末端を通して突出するガードされない位置と、シリンジの針がシールドによって覆われるガードされる位置との間で摺動可能なシールドと、
本体とシールドとに設けられた協働する移動止めであって、シールドを上記ガードされない位置と上記ガードされる位置とに保持するための移動止めと、を備えた、シリンジ用ガード。
【請求項２】
上記ロック機構は、上記腔所に受け入れられた上記シリンジの上記基端に係合させるために上記側方面に設けられたロック用移動止めを備え、これによって、シリンジが上記本体に実質的に永久的にロックされるようにした、請求項１記載のシリンジ用ガード。
【請求項３】
上記ロック用移動止めは、上記シリンジの上記リップが実質的に永久的に受け入れられるように、テーパ付き基端縁と丸まった末端縁とを備えている、請求項２記載のシリンジ用ガード。
【請求項４】
上記ロック用移動止めは、上記リップを受け入れるためのスロットを形成し、これによって、上記シリンジが上記本体から基端側に外れることが防止されるようにした、請求項２記載のシリンジ用ガード。
【請求項５】
上記協働する移動止めは、上記本体と上記シールドとに、１つ以上の協働する移動止めと移動止めポケットとを備え、
上記協働する移動止めと上記移動止めポケットの少なくとも一方により、シールドは上記ガードされない位置に解放自在に保持され、
上記協働する移動止めと上記移動止めポケットの少なくとも一方は、丸まった基端領域を備え、これにより、シールドが上記ガードされる位置に実質的に永久的にロックされるようにした、請求項１記載のシリンジ用ガード。
【請求項６】
更に、プランジャー組立体を備えており、
該プランジャー組立体は上記本体の基端にロック可能に取付けられており、これによって、上記本体に受け入れられたカートリッジの基端方向への移動が防止されるようにした、請求項１記載のシリンジ用ガード。
【請求項７】
上記プランジャー組立体は、該プランジャー組立体に摺動可能に取付けられたプランジャーを備えており、
該プランジャーは、上記カートリッジのピストンに取付け可能な末端を有し、これによって、プランジャーによりピストンが末端方向と基端方向に摺動可能に案内されるようにした、請求項６記載のシリンジ用ガード。
【請求項８】
上記本体は、実質的に矩形状横断面を備えている、請求項１記載のシリンジ用ガード。
【請求項９】
上記シールドは、実質的に矩形状横断面を備えている、請求項１記載のシリンジ用ガード。
【請求項１０】
上記本体は、一対の細長い側部レールを備えている、請求項１記載のシリンジ用ガード。
【請求項１１】
上記本体と上記シールドとは、射出成形されたプラスチックからなる、請求項１記載のシリンジ用ガード。
【請求項１２】
上記シリンジは、単位投与量シリンジである、請求項１記載のシリンジ用ガード。
【請求項１３】
上記本体は、実質的に矩形状横断面を有する外面を備えており、
上記シールドは、実質的に矩形状横断面を有する内面であって、上記本体の上記外面に摺動自在に係合するように構成された内面を備えている、請求項１記載のシリンジ用ガード。
【請求項１４】
医療用カートリッジ用ガードであって、
医療用カートリッジは基端と末端とを有し、該末端は該末端から突出する針を有する、医療用カートリッジ用ガードにおいて、
実質的に剛性を有すると共に、開放基端と、開口を備える末端と、該開放基端を通して軸方向に医療用カートリッジを受け入れる腔所とを有する本体であって、医療用カートリッジが腔所内に受け入れられたときに上記末端の開口を通して上記針が突出できるようになっている、本体と、
本体の上記開放基端に設けられた指グリップと、を備え、
該指グリップは、医療用カートリッジが腔所内に受け入れられたときに該医療用カートリッジの基端を受け入れるためのスペースを実質的に取り囲む側面を備え、
該側面は、スロットを形成する移動止めを備え、
該移動止めは、傾斜付き基端面と、丸まった末端縁とを有しており、これにより、医療用カートリッジが腔所内に受け入れられるときに該医療用カートリッジの基端の進入はスロット内方向にのみ許容され、これをもって、医療用カートリッジの本体からの取り外しが防止されるようになっており、
さらに、開放基端と開放末端とを有し本体に摺動可能に取り付けられたシールドであって、ガードされない位置とガードされる位置との間で摺動可能であることによって医療用カートリッジの上記針が覆われなかったり覆われたりするようにしたシールドと、
上記本体と上記シールドとに設けられた協働する移動止めであって、互いに係合することによってシールドを上記ガードされる位置に保持する協働する移動止めと、を備えた、医療用カートリッジ用ガード。
【請求項１５】
上記協働する移動止めは、上記シールドと上記本体に形成された所定の移動止めと第１，２のポケットとを備え、
該第１，２のポケットは、該所定の移動止めを受け入れて、シールドを上記ガードされない位置と上記ガードされる位置に夫々保持するようにした、請求項１４記載の医療用カートリッジ用ガード。
【請求項１６】
上記第１のポケットは、上記所定の移動止めに解放自在に係合する傾斜付き末端縁を備えた、請求項１５記載の医療用カートリッジ用ガード。
【請求項１７】
上記第２のポケットは、上記所定の移動止めに係合する丸まった基端縁であって、上記シールドが上記ガードされる位置から基端側に移動せしめられることを防止する基端縁を備えた、請求項１５記載の医療用カートリッジ用ガード。
【請求項１８】
シリンジであって、
基端と、該基端に設けられたリップと、末端と、該末端から突出する針とを有し、薬液を保持するカートリッジと、
カートリッジが収納される腔所を有する実質的に剛性を有する本体であって、針が突出する末端開口を有する本体と、を備え、
該本体は、基端に設けられた指グリップであって、カートリッジが腔所に収納されたときに上記リップを受け入れるためのスペースを取り囲む側面を有する指グリップと、
該側面に少なくとも部分的に１以上の開口をなす移動止め機構であって、カートリッジを腔所内に実質的に永久的に保護するようにリップに係合する移動止め機構と、を備え、これにより、カートリッジが腔所から基端側に取り外されることを防止し、
さらに、上記本体に対して末端側に摺動可能に設けられたシールドであって、針が該シールドの末端から突出するガードされない位置から、針がシールドによって実質的に覆われるガードされる位置へ摺動可能に設けられたシールドと、
シールドと本体とに設けられた協働する移動止めであって、シールドを上記ガードされる位置にロックするための移動止めと、備えた、シリンジ。
【請求項１９】
上記移動止め機構は、上記指グリップに設けられ、
該移動止め機構は、上記カートリッジの上記リップを実質的に永久的に受け入れるための、テーパ付き基端縁と丸まった末端縁とを備えた、請求項１８記載のシリンジ。
【請求項２０】
上記協働する移動止めは、上記本体と上記シールドとに、１以上の協働する移動止めと移動止めポケットとを有し、
上記協働する移動止めと移動止めポケットの少なくとも１つは、シールドを上記ガードされない位置に解放自在に保持するための傾斜付き末端領域を有し、
上記協働する移動止めと移動止めポケットの少なくとも一つは、シールドを上記ガードされる位置に実質的に固定するための丸まった基端領域を有する、請求項１８記載のシリンジ。
【請求項２１】
医療用カートリッジ用ガードであって、
医療用カートリッジは、基端と、末端と、該末端から突出する自身の針とを有する、医療用カートリッジ用ガードにおいて、
開放基端と、開口を有する末端と、医療用カートリッジを該開放基端を通して軸方向に受け入れるように構成された腔所とを備えた本体であって、医療用カートリッジが腔所内に受け入れられたときに針が上記開口から突出することができるようにした、本体を備え、
該本体の基端は、医療用カートリッジの基端を受け入れるためのスペースをなす側面と、該側面に少なくとも部分的に１以上の開口をなす１方向移動止めであって、医療用カートリッジが腔所内に収納されるときにスペースの腔所内に受け入れられる医療用カートリッジの基端に実質的に永久的に係合させるための１方向移動止めと、を備え、
さらに、開放基端と開放末端とを有し、本体に対してガードされない位置とガードされる位置との間で摺動可能に取り付けられたシールドであって、これにより、医療用カートリッジの針が覆われなかったり覆われたりするようにしたシールドと、
本体とシールドの一方に設けられた指グリップと、
シールドを上記ガードされない位置とガードされる位置とに夫々保持するために、本体とシールドとに設けられた協働する移動止めと、を備えた、医療用カートリッジ用ガード。
【請求項２２】
上記協働する移動止めは、上記医療用カートリッジの上記基端に設けられたリップを実質的に永久的に受け入れるべく、テーパ付き基端縁と、丸まった末端縁とを備えた、請求項２１記載の医療用カートリッジ用ガード。
【請求項２３】
上記協働する移動止めは、上記本体と上記シールドとに、１以上の協働する移動止めと移動止めポケットとを有し、
上記協働する移動止めと移動止めポケットの少なくとも１つは、シールドを上記ガードされない位置に解放自在に保持するための傾斜付き末端領域を有し、
上記協働する移動止めと移動止めポケットの少なくとも一つは、シールドを上記ガードされる位置に実質的に固定するための丸まった基端領域を有する、、請求項２１記載の医療用カートリッジ用ガード。
【請求項２４】
上記指グリップは、Ｔ形状をなしている、請求項２１記載の医療用カートリッジ用ガード。